Podtech/llm-jp-corpus-v4-ja_patent huggingface dataset:
(57)【要約】【課題】従来技術から行われてきたトマトの皮むき方法である「湯むき」でトマトの皮むきを行うとトマトの肉質に劣化が発生したり、効率が悪い為熱風処理や加圧下での蒸気を使った皮むき方法が考案されてきた。しかし、これらの方法も著しい軟弱化が発生したり、トマト表面の乾燥による鮮度の劣化を起こすという欠点があった。これを解消しトマトの肉質や表面の状態を損なうことなく皮むき出来るようにすることを課題とする。【解決手段】常圧下で過熱水蒸気をトマトに照射させることで従来の技術で発生してしまうトマトの肉質の軟弱化や表面の乾燥等の問題点を解決することが可能になり、かつ処理速度の向上も見られる。また、設備も簡易になり常圧のため安全性も向上する。【特許請求の範囲】
【請求項１】
常圧下で過熱水蒸気をトマトに照射させることにより容易に皮をむくことが出きる方法。
【発明の詳細な説明】
【０００１】
【発明が属する技術分野】
本発明は、従来技術の課題を解決し品質の劣化が少なくて皮むき効率の良いトマトの皮むき方法に関する。
【０００２】
【従来の技術】
従来の皮むき方法として、過熱水蒸気又は加熱気体を加圧条件下で作用させた後に常圧へ戻す方法｛特公昭４６−４０７４７号、特公昭５４−３４０７１号、特公昭５６−４５７５３号等｝、加熱水蒸気を作用させた後にアルカリ（主に水酸化ナトリウム）処理する方法｛特公昭５０−２０１３２号｝、また塩化カルシウムや脂肪酸の類を作用させる方法、さらには常圧下における加熱空気流の利用による剥皮する方法等｛特開昭５９−２１０８７６号、特開昭５９−１６６０７０号等｝、多くが提案されている。
【０００３】
【発明が解決しようとする課題】
本発明で解決することは、加圧条件で皮むきする方法では相応の耐圧容器や付帯設備が必要であり圧力操作とは別に関連作業が発生し面倒である点。薬剤の作用を必要とする処理法では、該当薬剤の取扱の厄介さと食品衛生や公害上の問題が避けられない点。加熱空気を利用した剥皮方法では使用温度が３００℃以上と高く、かつ空気利用のため空気の持つエンタルピーが低いことで熱効率が悪く大量の空気が必要となる。また、使用温度の高さから装置の酸化が発生し酸化物の飛散等食品への影響が考えられる、さらに高温の空気を高速で素材表面に吹き付ける為素材表面から水分が奪われ素材が変質してしまう問題もある。これらの問題点の解決である。
【０００４】
【課題を解決するための手段】
常圧の過熱水蒸気をトマトに吹き付けることにより皮むきをする。過熱水蒸気は同温、同量の加熱空気に比べて約４倍程度の熱量を保有しているため流量や温度条件を下げて素材にダメージの少ない条件で使用できる。また、加熱空気と同じ温度、流量であればトマトの皮むき時間を約１／４に短縮できる。また、皮むき処理の際に過熱蒸気が素材表面に水分として凝縮し表面からの水分蒸発を防ぎ鮮度を保つという利点もある。さらに常圧で皮むきすることが可能なため圧力容器などの大型装置が不要であり操作の煩わしさがなく排気も簡単であり爆発性もないため安全性が高い。また、構成の単純性から既設設備からの置き換えも容易である。
【０００５】
【発明の実施の形態】
トマトの皮むきという目的を、常圧下で過熱水蒸気を利用することで容易に実現した。
(57)【要約】【課題】精度よく高周波電力増幅器のトリミングを可能とする高周波電力増幅器のトリミング方法を提供する。【解決手段】高周波電力増幅器のトリミング方法において、バイアス回路１３に電圧源２１を接続して一定電圧を印加し、ＦＥＴ１１のドレイン端子２３に電流源１５を接続して一定電流Ｉｄを供給し、ＦＥＴのドレイン電圧Ｖｄを測定しながら、測定したドレイン電圧Ｖｄが所望値になるようにバイアス回路１３の抵抗素子１３ａ、１３ｂをレーザトリミングし、それらの抵抗値を調整する。【選択図】        図１
2004248161.tif 000002
【特許請求の範囲】
【請求項１】
２つの主電極と１つの制御電極を有するＦＥＴと、複数の調整可能な抵抗素子を含み、前記ＦＥＴにバイアス電圧を印加するバイアス回路とを備えた高周波電力増幅器のトリミング方法において、
前記バイアス回路に一定電圧を印加し、
前記ＦＥＴの主電極間に一定電流を供給し、
前記ＦＥＴの主電極間の電圧を測定しながら、該主電極間の電圧が所定値になるように前記バイアス回路の抵抗素子の抵抗値を調整する
ことを特徴とする高周波電力増幅器のトリミング方法。
【発明の詳細な説明】
【０００１】
【発明の属する技術分野】
本発明は高周波電力増幅器のトリミング方法に関する。
【０００２】
【従来の技術】
従来の高周波電力増幅器はドレイン、ゲート及びソース端子を有するＦＥＴ（電界効果トランジスタ）と、そのＦＥＴにバイアス電圧を与えるバイアス回路とを含む。バイアス回路は例えば複数の抵抗素子の直列回路で構成され、バイアス回路への印加電圧を分圧した電圧がＦＥＴのゲートにバイアス電圧として印加される。特許文献１では、バイアス回路に含まれる各抵抗素子は、レーザトリミング法により抵抗値が調整可能な素子で構成されている。
【０００３】
そのようなバイアス回路を備えた高周波電力増幅器のトリミングは次のように行なわれる。すなわち、ＦＥＴのドレイン端子に所定電圧を与える電圧源を接続し、バイアス電圧を与える抵抗回路に別の電圧源を接続する。この状態でそれぞれの電圧源から電圧が印加されると、抵抗回路により分圧された電圧がＦＥＴのゲ−トに印加され、ＦＥＴにドレイン電流が流れる。このドレイン電流をモニタしながら抵抗回路の各抵抗素子をレーザトリミングすることによりその抵抗値を変化させ、ゲート−ソース間に印加されるバイアス電圧を変化させる。このとき、ＦＥＴを流れるドレイン電流が所望の値になるようレーザトリミングすることによりその抵抗値を変化させる。
【０００４】
【特許文献１】
特開平１０−４１７５７号公報
【０００５】
【発明が解決しようとする課題】
しかし、以上のようなトリミング方法では次のような問題がある。すなわり、レーザトリミング前のドレイン電流値が比較的大きい場合、高周波電力増幅器内で消費される電力が大きくなり、熱が発生する。発生した熱はドレイン電流の増加を招くため、そのような状態で所望の電流値が得られるようトリミングを完了しても、その後に、熱が発生しなくなった状態では、所望の電流値が得られないという問題がある。
【０００６】
本発明は上記課題を解決すべくなされたものであり、その目的とするところは、精度よく高周波電力増幅器のトリミングを可能とする高周波電力増幅器のトリミング方法を提供することにある。
【０００７】
【課題を解決するための手段】
本発明に係る高周波電力増幅器のトリミング方法は、２つの主電極と１つの制御電極を有するＦＥＴと、複数の調整可能な抵抗素子を含み、ＦＥＴにバイアス電圧を印加するバイアス回路とを備えた高周波電力増幅器のトリミング方法である。その方法においては、バイアス回路に一定電圧を印加し、ＦＥＴの主電極間に一定電流を供給し、ＦＥＴの主電極間の電圧を測定しながら、主電極間の電圧が所定値になるようにバイアス回路の抵抗素子の抵抗値を調整する。
【０００８】
【発明の実施の形態】
以下添付の図面を参照して、本発明に係る高周波電力増幅器のトリミング方法の実施の形態を詳細に説明する。
【０００９】
図１は本発明に係る高周波電力増幅器のトリミング方法を説明するための図である。高周波電力増幅器１０は、増幅素子であるＦＥＴ（電界効果トランジスタ）１１と、ＦＥＴ１１にバイアス電圧を与えるバイアス回路１３とを含む。バイアス回路１３は直列接続された抵抗素子１３ａ、１３ｂからなる。抵抗素子１３ａと抵抗素子１３ｂの接続点はＦＥＴ１１のゲートに接続される。抵抗素子１３ａ、１３ｂはレーザトリミング法により抵抗値が調整可能な抵抗素子である。なお、抵抗素子１３ａ、１３ｂの抵抗値は他の方法で調整されてもよい。
【００１０】
以上のように構成される高周波電力増幅器１０のトリミング方法を以下に説明する。
【００１１】
ＦＥＴ１１のドレイン端子２３に所望のドレイン電流Ｉｄを与える電流源１５を接続する。また、バイアス回路１３の一端に所定電圧を与える電圧源２１を接続し、その他端は接地する。これにより、電圧源２１からの供給電圧を抵抗素子１３ａ、１３ｂにより分圧した電圧がＦＥＴ１１のゲート端子に印加される。また、ＦＥＴ１１には一定のドレイン電流Ｉｄが流れる。ここで、一定のドレイン電流Ｉｄは、トリミング後の誤差が所望の範囲内に収まるようＦＥＴの発熱量があまり大きくならないような値に設定する。
【００１２】
このような状態において、抵抗素子１３ａ、１３ｂに対してレーザトリミングを行ないそれらの抵抗素子の抵抗値を変化させながら、ＦＥＴ１１のドレイン電圧Ｖｄを測定する。そして、測定したドレイン電圧Ｖｄが規定値と等しくなったときにレーザトリミングを終了する。
【００１３】
このようにＦＥＴ１１に一定のドレイン電流を流しながら、トリミングを行なうことにより、ＦＥＴ１１に過剰な電流が流れるのを防止でき、発熱を低減できる。よって、発熱によるドレイン電流の増加を低減できるので、トリミング完了後のドレイン電流値の所望値からのずれを低減でき、精度の高いトリミングが可能となる。
【００１４】
【発明の効果】
本発明によれば、トリミング中にＦＥＴに一定電流を流すことにより、ＦＥＴに過剰な電流が流れることを防止しＦＥＴの発熱を低減できるので、トリミング完了後のドレイン電流値の所望値からのずれを低減でき、精度の高いトリミングが可能となる。
【図面の簡単な説明】
【図１】本発明に係る高周波電力増幅器のトリミング方法を説明するための図
【符号の説明】
１０  高周波電力増幅器、  １１  ＦＥＴ（電界効果トランジスタ）、  １３バイアス回路、  １３ａ，１３ｂ  レーザトリミング可能な抵抗素子、  １５定電流源、  ２１  電圧源
【図１】
2004248161.tif 000003
(57)【要約】【課題】転位を伴う上腕骨外科頚骨折に対する髄内釘（ラケットピン）を提供することを課題とする。【解決手段】上腕骨外科頚骨折に対し、上腕骨近位部より（肩三角筋付着部）挿入し、骨折部を強固に固定するための髄内ピンの開発。【効果】本願医療器具は、上腕骨外科頚骨折に対し挿入が容易で強固な固定が得られ、術後にピンが逸脱しない機構により、より安全で容易となる。【選択図】  図３
2004248931.tif 000002
【特許請求の範囲】
【請求項１】
上腕骨外科頚骨折に対する髄内釘の形状と逸脱防止機構。
【発明の詳細な説明】
【０００１】
【発明の属する技術分野】
本願発明は、上腕骨外科頚骨折に対する固定器具、テニスのラケットに似た、スムースに折り曲げた髄内釘（ラケットスクリュー）に関するものである。あるいはスクリュー先端を８の時に折り曲げた形状のもの
【０００２】
【従来の技術】
高齢化社会の進展に伴い、骨粗しょう症が要因の一つとされる、大腿骨頚部骨折、橈骨遠位端骨折、上腕骨外科頚骨折の３大骨折が増加している。その中で、上腕骨外科頚骨折の治療は，一般的に，骨折部に転位がないかあるいは軽度で骨折部が安定しているものは保存療法が第一選択になる。しかし，転位を伴いかつ骨折部が不安定な症例に対しては各種の手術的治療法がある。  転位を伴う不安定な上腕骨頚部骨折，とくに外科頚骨折に対してこれまでには上腕骨近位部より（肩三角筋付着部）数本の髄内スクリューを挿入し、骨折部を固定している。しかし、これまでのものは、形状がいわゆる刺入ピンであり、先端を曲げたもの、あるいは先端に小ボールを付けた物などがあるが、いずれも術後のピンの挿入部からの逸脱（バックアウト）は免れなかった。
【０００３】
【発明が解決しようとする課題】
上記の問題点を考慮して、刺入スクリューが術後に逸脱しない形状と機構の開発が必要であり、かつ、骨折部の強固な固定性を得ることが最大の目的である。
【０００４】
【課題を解決するための手段】
このような状況下において、本発明者は鋭意研究を行った結果、以下、本発明について詳述する。挿入スクリューをラケットのフレーム状に折り曲げ、さらに全体を湾曲させたものとする。あるいは、先端部を８の時の形状としたのもである。刺入の際はラケットの頂点を髄内刺入先端部とし、術後の逸脱（バックアウト）防止のためには、スクリューの上腕骨開口部（挿入部）に位置する部位を階段状に凹凸を作製する。その上、折り曲げたフレームが開こうとする弾性と相まってスクリュー凹凸部が皮質に固定されるものである。なお、打ち込みの際には両端を抹消部で把持器により把持し、ハンマーで打ち込む。また、ラケット状のアーチにより、中枢部上腕骨骨頭の回旋を防ぐことが出来るものを発明した。
【０００５】
【発明の実施の形態】
【実施例】
以下に本発明を具体化した一実施例を、第１，２，３図を用いて説明する。まず、原則として全身麻酔下に行うが，高齢者では局所麻酔で充分である。体位は側臥位が良い。
手術方法：  麻酔開始後イメージを配置し，消毒の前に骨折部の徒手整復を行い、整復位保持方法を吟味しておく。刺入部は三角筋粗面で、同部は骨皮質が厚く、遠位に斜走する橈骨神経を確認し、三角筋停止部に小切開を加える。開窓器で術野を広げ、骨膜を剥離し肘同部に幅７ｍｍ，長さ１２ｍｍの楕円形の刺入口を作成する。釘の刺入孔を開けるためには，あらかじめドリル孔を作製し、骨錐を用いるのが便利で安全である．これにより短時間で適切な刺入口を作成できる。図１に示すように、直径２．８ｍｍ、直径２．４ｍｍ、直径２．０ｍｍなどの全長約４００ｍｍの髄内スクリューをラケットのフレーム状に折り曲げ長さ２００ｍｍのラケットスクリューとする。挿入を容易にするためにあらかじめ先端より２０ｍｍ末梢では約１０度屈曲させ、さらに全体を湾曲させたものとする。図２のように刺入の際はラケットの頂点を髄内刺入先端部とする。打ち込みの際には両端を抹消部で把持器により把持し、ハンマーで打ち込む。図１、図３で示すように術後の逸脱（バックアウト）防止のためには、スクリューの上腕骨開口部（挿入部）に位置する部位を階段状に凹凸を形成する。その上、折り曲げたフレームが開こうとする弾性と相まってスクリュー凹凸部が皮質に固定されるものである。また、このスクリューの特徴は図１、図３、で示すラケット状のアーチにより、中枢部上腕骨骨頭の回旋を防ぐことが出来る。なお、釘の尖端が髄空内をスムースに通過するよう，手術中にそれぞれの湾曲をベンダーで変えて使用する。症例によってはワンセットのラケットスクリューで固定性が不十分であれば、もうワンセットを追加するか、従来の単スクリュー（ｂｌｏｃｋｉｎｇ  釘）をブロッカーとして刺入する事もできる。あるいは、図４で示す中空裸子固定による抹消部プレート器具を組み合わせ固定の強化とバックアウトの強化を計ることも可能である。
【０００６】
【発明の効果】
本願発明の上腕骨外科頚骨折に対する固定器具、髄内釘（ラケットスクリュー）はその形状により髄内への挿入が容易となり、固定性においても本釘は従来のものより高く、また、骨頭の回旋を防ぐのにも有利である。なお、一般的にスクリュー刺入による固定法は、スクリューの逸脱（バックアウト）が問題点であり、本願発明のラケットスクリューは、ばねとしてのスプリングアクション力と刺入部骨皮質の接触部を凹凸とすることにより、より効果的に働くものである。
【図面の簡単な説明】
【図１】ラケットスクリューの全体像を示した説明図である。
１上腕骨より刺入部先端をテニスラケットのフレーム
２逸脱（バックアウト）を防止するためにスクリューの上腕骨開口部（挿入部）に位置する部位を階段状に凹凸を形成する。
【図２】ラケットスクリュー刺入先端部を示す。刺入が容易となる。
【図３】スクリュー刺入完成図で、スクリューの階段状凹凸面が逸脱を防止し、テニスラケット形状が固定性をより強くしている。
【図４】で示す中空裸子固定による抹消部プレート器具を組み合わせ固定の強化とバックアウトの強化を計る。
【図１】
2004248931.tif 000003
【図２】
2004248931.tif 000004
【図３】
2004248931.tif 000005
【図４】
2004248931.tif 000006
(57)【要約】      （修正有）【課題】交配・遺伝子組み替えによらないで花の色を変える方法を提供する。【解決手段】人間の飲料品・食用品・医薬品・薬剤・肥料等を植物に塗布する・吸引させる・蒸発気体の中に存在させる等の方法により花の色を変化させる。【選択図】なし【特許請求の範囲】
【請求項１】
花（ばら・その他）の色を、人間の飲料品・食用品・医薬品・薬剤・肥料・その他を塗る・吸わせる・蒸発気体の中に存在させる等の方法により、変化させる。
【発明の詳細な説明】
【０００１】
〔発明の属する技術分野〕
植物の含有する成分と植物の内・外から植物の内部へ入らせた人間の用いる物の成分とを反応させ、植物の色を濃くしたり薄くさせたりする。
【０００２】
〔従来の技術〕
交配・遺伝子組み替え・他は、研究がされている。
【０００３】
〔発明の実施の形態〕
切り花の液・根があるハエテイル状態において、花びらで反応させる・土に含有させる・等の方法で色の変化を起こす。
【０００４】
〔発明の効果〕
ばらにおいては、青色の発色・青みのある色の発色・他、他の植物においては、種々の花の色の変化を起こさせ、装飾・観賞に用いることが出来る。
(57)【要約】      （修正有）【課題】持ち歩きできる容器で、ふたを開け糞をキャッチしそれを簡単にトイレに流せる容器に関する。【解決手段】ふた１つき容器２に取っ手３をつけ中に紙をしき固定棒４で押え、フック６で止める。紙は折り返し重ね、留具９とふた側の凸起１０でふたを閉める。糞をトイレに捨てる時、固定棒を引くが、抜けないよう固定棒先端部を５少し大きくする。【選択図】図２
2004248660.tif 000002
【特許請求の範囲】
【請求項１】
（イ）ふた（１）つき容器（２）に取っ手（３）を設ける。
（ロ）紙固定棒（４）とそれのフック（６）を設ける。
（ハ）固定棒（４）は抜けてしまわないように固定棒先端部（５）を少し大きくする。
（ニ）ふたの留具（９）は留具側とふた側に凸起（１０）を設ける。
（ホ）紙（７）は固定棒で押え折り返して重ね（８）セットするので容器に合せた大きさ、そしてトイレに流せる紙質であること。
以上の如く構成された犬の糞取り器。
【発明の詳細な説明】
【０００１】
【発明の属する技術分野】
この発明は持ち歩きできる容器でふたを開け糞をキャッチしそれを簡単にトイレに流せる容器に関するものである。
【０００２】
【従来の技術】
従来のペット用トイレ用品は室内のものばかりで散歩時に使用するものが殆どなかった。
糞を取る方法としては、ビニール袋やスコップ等で取るなどであった。
現実・糞を持ち帰らない飼主もいる。
糞を持って帰っても、ゴミを分別しなければいけない現在処理が面倒である。
【０００３】
【発明が解決しようとする課題】
したがって、従来ペット用品メーカーは散歩時の糞処理については、あまり力を入れていなかった。本発明は糞の処理に頭を悩ませている犬を飼っているものの要望にこたえるために発明されたのである。
【０００４】
【課題を解決するための手段】
いま、その構成を説明すると
（イ）ふた（１）つき容器（２）に取っ手（３）を設ける。
（ロ）紙固定棒（４）とそれのフック（６）を設ける。
（ハ）固定棒（４）は抜けてしまわないように固定棒先端部（５）を少し大きくする。
（ニ）ふたの留具（９）は留具側とふた側に凸起（１０）を設ける。
（ホ）紙（７）は固定棒で押え折り返して重ね（８）セットする。
以上のように装置する。
【発明の実施の形態】
次に本発明の実施の形態を述べると容器にトイレに流せる紙をセットし散歩時に持って行く。犬が糞をしそうになった時素早くふたを開けおしりの下に持って行き糞をキャッチしふたを閉め持って帰る。
その容器をトイレに持って行き紙を固定している固定棒を引き容器をひっくり返し紙と糞とを一緒に落す。
【発明の効果】
だから、見た目も良く持ち運びが楽で簡単に糞を取ることができその上手を汚さず、衛生的に処理できる。
【図面の簡単な説明】
【図１】本発明の閉じている時の斜視図
【図２】本発明の開いている時の斜視図
【図３】本発明の使用斜視図
【符号の説明】
１は  ふた
２は  本体
３は  取っ手
４は  固定棒
５は  固定棒先端部
６は  フック
７は  紙
８は  重なっている部分
９は  留具
１０は  凸起
【図１】
2004248660.tif 000003
【図２】
2004248660.tif 000004
【図３】
2004248660.tif 000005
(57)【要約】【課題】煙草には約２７０種類の有害物質が入っており、その害は広く知られている。しかし、禁煙という行為は大変困難である。ニコチンガム等も開発されているが、喫煙者にとっては、火を付けて口に持ってきて、煙を吸って吐くという一連の行為が煙草の醍醐味である為、満足できない。そこで、喫煙者を満足させ、かつ害の少ない煙草を提供する。【解決手段】紙等で作った無害な葉状物に、ニコチンと各種添加物を加えると、本来の煙草より、はるかに有害物質の少ない合成煙草ができる。しかも、ニコチンが入っており、本来の煙草とほとんど変わらない喫煙を楽しめる為、喫煙者は十分に満足できる。【特許請求の範囲】
【請求項１】
葉状物にニコチンを加える事を特徴とする合成煙草
【請求項２】
葉状物にニコチンとその他添加物を加える事を特徴とする合成煙草
【発明の詳細な説明】
【０００１】
【発明の属する技術分野】
この発明は葉状物にニコチンを加えて合成する煙草に関するものである。
【０００２】
【従来の技術】
煙草には約２７０種類の有害物質が入っており、その害は広く知られているが、常習性が強く禁煙する事は困難な為、多くの喫煙者が悩んでいる。ニコチンガム等も開発されているが、喫煙者にとっては、火を付けて口に持ってきて、煙を吸って吐くという一連の行為が煙草の醍醐味である為、満足できない。
【０００３】
【発明が解決しようとする課題】
喫煙者にとって困難ではなく、かつ、煙草の害を減らすにはどうしたらいいか、研究を重ねた。
【０００４】
【課題を解決するための手段】
無害な葉状物にニコチンを加えて合成煙草を作ると、元来約２７０種類の有害物質が入っている煙草より、はるかに健康的な合成煙草ができる。
【０００５】
【発明の実施の形態】
本発明に使用する葉状物は、紙・他の植物の葉・合成繊維等、煙草より有害物質の少ない物を用いる。また、煙草の風合いに似た葉状物を使用すれば、より喫煙者を満足させる事ができる。
この葉状物に、ニコチンを噴霧もしくは塗布する。ニコチン溶液中に葉状物をひたしてもよい。
また、葉状物にニコチンの他、メントールやアスコルビン酸や各種香料等の添加物も適切に加える事により、更に喫煙者が好む合成煙草や今までに無い新しい味の煙草を自由かつ容易に作る事ができる。
どのような製法をとっても良いが、その一例をあげる。まず、シート状の葉状物をトイレットペーパーのようにロール状にする。その一端を、ベルトコンベヤーに載せ引き取りながら、ニコチンと各種添加物の入った溶液を一様に噴霧する。そしてベルトコンベヤーに載せたまま乾燥機を通過させ、適切に乾燥する。最後は裁断機に通し細かく切り、合成煙草の完成である。以降は従来の煙草と同様の仕上げをする。
【０００６】
【発明の効果】
この発明により、害が少なくとも喫煙者を十分に満足させる煙草が供給可能になり、多くの喫煙者の健康を守ることができる。また、様々な味の煙草を自由かつ容易に合成することができる。
(57)【要約】【課題】米飯を中に詰め込むだけでおにぎりを成形することが出来る成形型を兼ねた海苔と包装体を提供する。【解決手段】まず、包装体は、おにぎりの形状である多面体を基とし、その一つの面を開放させた形状である。海苔は、その包装体の内面に密着させて装置できると同時に一つの開放面を設けることの出来る形状である。そして、その海苔を包装体の内側に装置した際に、同箇所が開放されたおにぎりの形状となることを特徴とする。【選択図】  図１
2004248639.tif 000002
【特許請求の範囲】
【請求項１】
おにぎりの形状を有する包装体の内面に密着させて海苔を始めとした食品を装置する、おにぎりの成形型を兼ねた海苔と包装体。
【発明の詳細な説明】
【０００１】
【発明の属する技術分野】
この発明は、内部に米飯を詰め込むだけでおにぎりを成形することが出来る成形型を兼ねた海苔と包装体に関するものである。
【０００２】
【従来の技術】
従来よりおにぎりを成形する際は、まず、米飯の形状を手で、もしくは型を用いて成形し整えた後、塩等の調味料を付着させ、その後、海苔を付着させるという手順を要していた。
【０００３】
【発明が解決しようとする課題】
これには、次のような欠点があった。
（イ）多くの手間と時間を要した。
（ロ）米飯をおにぎりの形状に成形する際に衛生上の問題が生じることもあった。
（ハ）時に、手に傷等があった場合、おにぎりに与える影響と傷に与える影響の両方を考慮しなければならなかった。
（ニ）手でおにぎりの形状を美しく成形することは難しかった。
（ホ）米飯が高温になっている場合、手で直接触れておにぎりの形状にすることは手も熱くなり困難だった。
（ヘ）塩を付着させる際は、その分量が難しく、丁度良い味加減にならない場合も多々あった。
（ト）作っていると、ご飯粒、水、塩、海苔の細かい屑等が散らばり易く、周囲を汚すことも多々あった。
（イ）海苔を適当な大きさに切らなければならず、手間を要した。又、海苔が半端に残ることもあり、その湿気り易い性質から保存に困った。
本発明は、これらの欠点を解決するためになされたものである。
【０００４】
【課題を解決するための手段】
まず、包装体は、おにぎりの形状である多面体を基とし、その一つの面を開放させた形状である（図２）。海苔は、その包装体の内面に密着させて装置できると同時に一つの開放面を設けることの出来る形状である（図３）。そして、その海苔を包装体の内側に装置した際に、同箇所が開放されたおにぎりの形状となる（図１）。
本発明は、以上の構成からなるおにぎりの成形型を兼ねた海苔と包装体である。
【０００５】
【発明の実施の形態】
以下、本発明の好適な実施の形態について説明する。
尚、ここでは三角おにぎりを例にする。
図２に基づき包装体について説明する。形状は、三角おにぎり同様、適当な厚さを有した三角形状を基とした多面体（１、２、３、４、５）からなるが、その一つの面（１）を閉じずに開放させる。
図３に基づき海苔の形状を説明する。これは、包装体（図２）の内面に密着させて装置できるよう、包装体と同多面体を解体した形状を基とし、大きさと形状としては、相対する面（２とｂ、３とｃ、４とｄ、５とｅ）を基にそれぞれ包装体より海苔をやや小さめとしたほぼ同大きさ、同形状になるようにする。尚、包装体の開放面（１）に相対する面（ａ）は、包装体（図２）に装置した際に、その他の面（ｂ、ｃ、ｄ、ｅ）の端部からなる開口の大きさよりも縦幅、横幅共、幾分広めにすると好適である。
加えて、包装体の開放面（１）には海苔の開放面（ａ）よりも幅や広さを持たせると好適である。
そして、海苔（図３）を包装体（図２）の内側に装置した状態を図１に示す。このとき、海苔の面と面の間の線（図３−ｆ、ｇ、ｈ）を稜線として折り、相対する面（１とａ、２とｂ、３とｃ、４とｄ、５とｅ）がそれぞれ密着するよう装置する。
【０００６】
本発明は以上のような構造で、これを使用するときは、包装体の内面に海苔を密着させて装置した状態（図１）に、開口となったところから少しづつ米飯を詰め込んでいき、その開口部である海苔（ｂ、ｃ、ｄ、ｅ）の端と同高さで平らな状態に均す。次に、包装体の開放面（１）を海苔の開放面（ａ）と共に米飯側に倒すことにより、海苔が米飯へと付着される（図４）。そうして出来たものを包装体から取り出すとおにぎりとして食すことが出来る（図５）。もちろん、米飯を詰め込む際、同時に梅干し等の具を入れることも可能である。
又、海苔の面ａやｃ、ｅ、同時に包装体の面１や３、５にある程度の幅や広さを持たせることにより、平らな場所には立てて置くこともできる（図６）。
さらに、包装体は、そのまま、完成したおにぎりを包装しておくことも出来る。しかし、その場合、米飯から湯気が出ない状態、もしくは、包装体の材質を通気性の良いものとすると好ましい。加えて、開放面（１）を閉じる為のシール部等を設けても好適である。
尚、ここまで、包装体には開放面（１）を設けることが好適としてきたが、もし、この面が無くとも、開口部を有していれば、この発明は成立する。
【０００７】
そして、本発明を応用し、多面体の形状や数を変えるなどしていろいろな形状のおにぎりを作ることが出来る。また、任意形状が切り抜かれた海苔を用いると面白い模様のおにぎりが出来る。
又、海苔には調味されていないものや、味付きのもの、塩付きのもの等あるが、そのいずれでも可能であり、他に、おにぎりに用いられる食品、加工食品でも同様である。
【０００８】
【発明の効果】
本発明を使用することによって、手を汚すことなく、熱さを感じることなく、且つ衛生的におにぎりを作ることが出来る。加えて、周囲を散らかすこともない。形状としても美しい。又、半端に海苔を余らせて湿気らせることもない。そして何より、簡単におにぎりを作ることができる。
【図面の簡単な説明】
【図１】本発明の斜視図
【図２】本発明の包装体の斜視図
【図３】本発明の海苔の展開図
【図４】本発明の使用説明図
【図５】本発明の使用説明図
【図６】本発明の実施例図
【符号の説明】
１  包装体の開放面
４  包装体の一部
ａ  海苔の開放面
ｂ  海苔の一部
ｆ  折り線（稜線）
【図１】
2004248639.tif 000003
【図２】
2004248639.tif 000004
【図３】
2004248639.tif 000005
【図４】
2004248639.tif 000006
【図５】
2004248639.tif 000007
【図６】
2004248639.tif 000008
(57)【要約】［課題］  バッテリーを電源とする電気牧柵器を利用し、害獣が接触した際、高電圧流が流れることによってショックを与え、殺傷することなく撃退し、害獣が二度と近ずくことがない効果を有する、害獣撃退装置を提供する。［解決手段］  合成樹脂又は木材等の絶縁材からなる物体１の上にアース板２を取り付け、このアース板２の１ｃｍ上方に平行して＋のコード３を取り付けて２のアース板には、バッテリーＢを電源とする電気牧柵器Ａの−端子ａに接続、そしてコード６を２のアース板に接続させ、電機牧柵器Ａの＋端子ｂにコード５を使ってコード３に接続させたことを特徴とする。【選択図】          図１
2004248640.tif 000002
【特許請求の範囲】
【請求項１】
合成樹脂又は、絶縁材質からなる、物体１の上にアース板２を、取り付け、この２のアース板上方に平行して，１ｃｍ前後の＋コード３を取り付け２のアース板には，バッテリーＢを電源とする電気牧柵器をＡの−端子ａに接続，そしてコード６を２のアース板に接続させ，電気牧柵器Ａの＋端子ｂにコード５を＋のコード３に接続させたことを特徴とする害獣，害鳥撃退装置。
【発明の詳細な説明】
【０００１】
［発明の属する技術分野］
本説明は農産物、食物、機械類、その他を荒らす、ねずみ、害鳥を追い払う装置に関するもので、バッテリー（１２Ｖ）又は家庭用１００Ｖを電源とする電気（子）牧柵器を利用し、害獣、害鳥が接触した際、高圧電流（１０００Ｖ〜９０００Ｖ前後）による電圧のショックを与え、殺傷することなく撃退し、害獣が再度近づくことがなくなるような効果を有する撃退装置に関するものである。
【０００２】
［従来の技術］
従来、米などを秋に収穫して貯蔵しておくと春までに袋などに穴を開けられて食害されたり小便などをかけられて袋がふやけたところから虫に入られて食べ物にならなかったり散々な目にあってきました。農薬をまいたり、ベタベタの鳥もち状の物を置いたりしますが、あまり効果がない状況です
【０００３】
［発明が解決しようとする目的］
本発明は、バッテリー又は家庭用１００Ｖそして乾電池などを電源とする電気牧柵器を利用し害獣が接触した際、高圧電流が流れ、その強い電圧が与えるショックによって殺傷することなく撃退し、害獣が再度近づかないような効果を発揮する害獣撃退装置を提供することを目的とする。
【０００４】
［課題を解決するための手段］
上記目的を達成するための本発明は、合成樹脂又は木材などの絶緑材からなる物体１の板の上に−の金属板等又は線２をはり、このアース板の約１ｃｍ前後以上上にコード３を縦軸でつって＋のコードとして前記−の金属板２をバッテリーＢを電源とする電気（子）枚柵器Ａの−端子ａを−コード６で接続し、前記＋コード３を電気牧柵器Ａの＋端子ｂから＋コード５を使って３に接続したもので前記コードは何れも導電線又は導電板である。
【０００５】
［発明の実施の形態］
以下、本発明の実施の形態を図面に基づいて説明する。
【０００６】
図１は本発明の一実施例を示す斜視図である。−
図２はねずみが装置に触れた図である。
【０００７】
１は絶緑体の板状物体でその上に２のマイナス電流が流れるアース板又はコードを張り４のたて絶緑柱に３のプラスの電流が流れる＋のコードを下のアース板に対してショートしない程度の間隔１ｃｍ以上の平行線を作り害獣が２と３に触れた瞬間にショックを与えて追い払うものである。
【０００８】
５と６はバッテリーＢを電源とする電気牧柵器Ａの＋端子ｂと−端子ａを接続するコードで高電圧が流れるようになっている。
【０００９】
実際に使用する場合は次のようになる。
倉庫に設置する場合に、ねずみは、部屋の隅の方を通路とするため、この装置をねずみの通りそうなところに置きねずみに触れさせてショックを与えると高電圧のため、一度触れるとその倉庫内にはねずみがいなくなる。
触れた際のショックは大きいが低電流のため人体等への危険は全くない。
【０００１０】
［発明の効果］
上記のように構成された本発明はつぎのような効果がある。
ａ、  高電圧に触れた害じゅうは二度と来ない。
ｂ、  １２Ｖバッテリーや電池を使用しているので人体は勿論環境にもまったく影響はない。
ｃ、  構造も簡単でしかも大量に製造できるので安価に提供できる。
ｄ、  軽量にできているので容易に持ち運びができる。
【図面の簡単な説明】
【図１】本発明の一実施例を示す斜視図である。
【図２】害獣が装置に触れた図である。
【図１】
2004248640.tif 000003
【図２】
2004248640.tif 000004
(57)【要約】【課題】多様な風味や食感などが楽しめて食欲を増し、油のしつこさを和らげ、栄養のバランスを向上させ、果物類、芋類、野菜類などを揚げ物に添える手間が省ける衣付き揚げ物を提供する。【解決手段】果物類、芋類、野菜類などの食材の少なくても１つ以上の食材（１）を、魚介類、鳥肉類、獣肉類などの少なくても１つ以上の食材（２）で包み、衣を付ける。【選択図】図１
2004248648.tif 000002
【特許請求の範囲】
【請求項１】
果物類、芋類、野菜類などの食材の少なくても１つ以上の食材（１）を、魚介類、鳥肉類、獣肉類などの少なくても１つ以上の食材（２）で包み、その表面に衣を付けた揚げ物。
【発明の詳細な説明】
【０００１】
【発明の属する技術分野】
この発明は、果物類、芋類、野菜類などの食材を、魚介類、鳥肉類、獣肉類などの食材で包み、その表面に衣を付けた揚げ物に関するものである。
【０００２】
【従来の技術】
従来、魚介類、鳥肉類、獣肉類のフライや天ぷらなどの揚げ物を食するとき、油のしつこさを和らげるためや、栄養のバランスを考えて、果物類、芋類、野菜類などを添えていた。
【０００３】
【発明が解決しようとする課題】
しかし、魚介類、鳥肉類、獣肉類のフライや天ぷらなどの揚げ物と果物類、芋類、野菜類は別々の食材として存在するので、いつもそばにあるとは限らない。本発明は、その不便を除くために、魚介類、鳥肉類、獣肉類のフライや天ぷらなどの揚げ物と果物類、芋類、野菜類が、いつも、一緒にあるように一体の商品にしようと考えた。
【０００４】
【課題を解決するための手段】
果物類、芋類、野菜類などの食材の少なくても１つ以上の食材（１）を、魚介類、鳥肉類、獣肉類などの少なくても１つ以上の食材（２）で包み、その表面に衣を付け揚げ物にして、それを解決した。
【０００５】
【発明の実施の形態】
以下、本発明の実施の形態を、フライ、天ぷらに分けて説明する。
まず、フライの場合について説明する。
果物類、芋類、野菜類などの食材の少なくても１つ以上の食材（１）を、薄く切った魚介類、鳥肉類、獣肉類などの少なくても１つ以上の食材（２）で包み、その表面に小麦粉（３）を付け、それを玉子（４）をといた汁の中にひたしてから取り出し、その表面をパン粉（５）でまぶして油で揚げる。
【０００６】
あるいは、果物類、芋類、野菜類などの食材の少なくても１つ以上の食材（１）を、薄く切った魚介類、鳥肉類、獣肉類などの少なくても１つ以上の食材（２）で包み、それを小麦粉と玉子でといた汁の中にひたしてから取り出し、その表面をパン粉でまぶし、油で揚げる。
【０００７】
次に、天ぷらの場合について説明する。
果物類、芋類、野菜類などの食材の少なくても１つ以上の食材（１）を、薄く切った魚介類、鳥肉類、獣肉類などの少なくても１つ以上の食材（２）で包み、その表面に小麦粉（３）を付け、それを玉子（４）をといた汁の中にひたしてから取り出し、油で揚げる。
【０００８】
果物類、芋類、野菜類などの食材の少なくても１つ以上の食材（１）を、薄く切った魚介類、鳥肉類、獣肉類などの少なくても１つ以上の食材（２）で包み、それを小麦粉と玉子でといた汁の中にひたしてから取り出し、油で揚げる。
【０００９】
【実施例】
ここでは、生のイチゴ（１１）を牛肉（１２）で包んだフライについて説明する。
１つの生のイチゴ（１１）を、薄く切った牛肉（１２）で包み、その表面に小麦粉（１３）を付け、それを玉子（１４）をといた汁の中にひたしてから取り出し、その表面をパン粉（１５）でまぶし、油で揚げる。
【００１０】
あるいは、１つの生のイチゴを、薄く切った牛肉で包み、それを小麦粉と玉子でといた汁の中にひたしてから取り出し、その表面をパン粉でまぶし、油で揚げる。
【００１１】
なお、生のイチゴの風味が熱で損なわれにくくするために、牛肉を半生状態で揚げてもよい。
【００１２】
次に、サトイモを牛肉で包んだ天ぷらについて説明する。
１つの加熱処理したサトイモを、薄く切った牛肉で包み、その表面に小麦粉を付け、それを玉子をといた汁の中にひたしてから取り出し、油で揚げる。
【００１３】
あるいは、１つの加熱処理したサトイモを、薄く切った牛肉で包み、それを小麦粉と玉子でといた汁の中にひたしてから取り出し、油で揚げる。
【００１４】
【発明の効果】
本発明を食することによって、次のような効果を生む。
（イ）揚げ物の中に少なくても１つの魚介類、鳥肉類、獣肉類と少なくても１つの果物類、芋類、野菜類が一緒にあり、それらを衣で包むので、油で揚げても旨味が衣によって閉じ込められるので、多様な風味が楽しめ食欲が増す。
（ロ）揚げ物の中に少なくても１つの魚介類、鳥肉類、獣肉類と少なくても１つの果物類、芋類、野菜類が一緒にあるので、多様な食感が楽しめ食欲が増す。
（ハ）本発明をホークなどで切った切り口に、揚げ物の中に少なくても１つの魚介類、鳥肉類、獣肉類と少なくても１つの果物類、芋類、野菜類が一緒に見えるので、美味しさや楽しさが増して食欲が増す。
（ニ）揚げ物の中に少なくても１つの魚介類、鳥肉類、獣肉類と少なくても１つの果物類、芋類、野菜類が一緒にあるので、栄養のバランスが向上する。
（ホ）揚げ物の中に少なくても１つの果物類、芋類、野菜類があるので、油のしつこさが和らぐ。
（ヘ）揚げ物の中に少なくても１つの果物類、芋類、野菜類が一緒にあるので、果物類、芋類、野菜類などを揚げ物に添える手間が省ける。
【図面の簡単な説明】
【図１】本発明の断面斜視図
【図２】本発明の実施例を示す断面斜視図
【符号の説明】
１  食材    ２  食材
３  小麦粉    ４  玉子    ５  パン粉
１１  イチゴ    １２  牛肉
１３  小麦粉    １４  玉子    １５  パン粉
【図１】
2004248648.tif 000003
【図２】
2004248648.tif 000004
(57)【要約】［課題］              犬の散歩時のフン取り作業で  手を汚すことなく，かつ楽な姿勢でフン取り処理が出来るようにし，フンを他のビニル袋等に移し替えることなく，そのまま自宅まで移動運搬できるようにする。［解決手段］取手部１と  受け部３を一体化することにより，手で取手部１を持ったまま楽な姿勢で受け部３を必要位置へ持ってゆくことができるようにする。また，受け部３に紙，又はビニル袋２を敷くことにより手を汚すことなくフンを受け取り，そのままの状態で自宅まで移動運搬できるようにする。【選択図】図２
2004248649.tif 000002
【特許請求の範囲】
【請求項１】
犬の散歩時，犬のフン取り作業が  清潔でかつ楽な姿勢で処理できる手で持つ取手部と，紙又はビニルを敷いてフンを受取る受け部が一体となった犬のフン取り器。
【発明の詳細な説明】
【０００１】
［発明の属する技術分野］
本発明は，手間のかかる犬のフン処理を解決するため，フンを受け取る部分に紙，又はビニル袋が敷ける形状ににした受け部と，手で持ったまま移動，運搬ができる取手部を一体化したものである。
【０００２】
［従来の技術］
従来は，犬のフン処理にスコップ，ビニル袋，紙等を持参しフンをスコップ等ですくいあげ，ビニル袋や紙等に移し替えて，それを自宅へ持ち帰っていた。
【０００３】
［発明が解決しようとする課題］
犬の散歩時，道路，公園，空地等公共の場所で犬のフン尿をさせてしまい，特にフンの処理に困る時が多い。
殆どはスコップ，ビニル袋，紙等を持参しそれらを使用して処理するがその作業は大変で，道路はもちろん手の汚れや，腰をかがめるため疲労を伴う。又なかにはフン取りを無視しその結果公共の場所が汚れ，その他の人に不快感を与えている。これらの問題は社会問題になってきており本発明はこの課題を解消するためになされたものである。
【０００４】
［課題を解決するための手段］
犬のフン処理時，手が汚れることなく，又作業が楽で疲れず簡単に処理できるように，手で持つ取手部１と，紙又はビニル袋２  を敷いてフンを受け取る受け部３  を一体化した。
【０００５】
［発明の実施の形態］
以下，本発明の実施の形態について説明する。
（イ）．紙又はビニル袋２を敷くことのできる容器型の形状にした鉄線又は樹脂でできた受け部３に，全体を手で持ち移動，運搬することのできる樹脂又は木でできた取手部１を取りつける。
【０００６】
［発明の効果］
犬がフンをしようとした時，フン取り器の取手部を持ったまま犬の尻部にフン取り器の受け部をもってゆくことにより，楽で確実にフンを受け取ることが出来る。その結果道路や手を汚すことなく，フン受け取り後もビニル袋等へ移し変えることもなく  フン取り器の取手部を持ったまま楽にフン処理を終了することが出来る。
そして自宅までそのままの状態で移動運搬することができる。
【図面の簡単な説明】
【図１】本発明の構造を示した正面図，及び側面図である。
【図２】本発明の使用状態を示す立体図である。
【符号の説明】
１  取手部
２  紙，又はビニル袋
３  受け部
【図１】
2004248649.tif 000003
【図２】
2004248649.tif 000004
(57)【要約】【課題】釣り針を飲み込んだ魚から針を短時間に確実にはずすための道具を考案する。【解決手段】細い棒の先端に回転する小さなパイプを取り付け、パイプの隙間から糸をパイプのなかに通し、針の胴部分までパイプを押し込んでパイプごと針を回転させ、針先を魚の尾の方向に向けた状態で引き抜く。【選択図】  図４
2004248647.tif 000002
【特許請求の範囲】
【請求項１】
魚の口のなかで回転する小さな、糸入れ用隙間のあるパイプを用いた釣り針はずし。
【請求項２】
回転方向と逆向きに針先を向けるための切り欠きを持ったパイプを用いた釣り針はずし。
【発明の詳細な説明】
【０００１】
【発明の所属する技術分野】
本発明は、魚釣りの際に飲み込まれた釣り針をはずすための釣り針はずし具に関するものである。
【０００２】
【従来の技術】
従来一般的に用いられている針はずし具は鋼棒の先端に糸の通る切れ込みを入れた環をつけた形をしており、糸を環に通して針まで導き、針を喉の奥に押し込んだり、ひねったりして針を外していた。
【０００３】
【発明が解決しようとする課題】
従来の針はずしでは咽の奥に飲み込まれた針は視認できにくいため針を環にうまく引っ掛けるのがむずかしく、またどちらに力を加えれば外れるのか判断するのが難しい上、いったん抜けた針がまた別の部分に刺さってしまうことが多かった。
【０００４】
【課題を解決するための手段】
針まで針を保持するための小さなパイプを導くために、糸は通るが針は通らない幅の隙間をパイプにいれ、この隙間から糸をパイプに通し、糸を張った状態にして針につかえるまで押し込む。パイプは棒の先端でワイヤに引かれて回転するようになっており、針ごと回転して針先を魚の尾側に向ける。この状態で引き抜くと針が再び刺さることなく抜ける。また、パイプの先に回転方向と逆向きに針を向けるための切り欠きがあるので、柔らかい食道ではうまく針が回転してくれる確率が高くなる。
【０００５】
【発明の実施の形態】
本発明の釣り針はずし具は細い棒の先端に回転する小さなパイプを有する。パイプに糸を通す隙間があり、ここより糸をパイプ内にいれることができる。パイプは針金等で引くことにより角度で１６０度以上回転できるため、釣り針を簡単に回転させることができる。回転させた状態のまま保持し、全体を魚の口より引き抜く。
【０００６】
【実施例】
次にこの発明の具体的な実施例を示す。まず板金の一部を丸めて図２のようなパイプ部分のついた金具を作成する。パイプ部分の長さについては使用する針の長さにあわせる。５が針の向きを回転と逆に向けるための切り欠きである。図３はこの金具の断面図で、糸入れ用隙間９があり、この隙間を糸は通るが針は通らない程度に調節しておく。この金具を細い支持棒の先端に７が回転軸になるよう取り付ける。８に細いワイヤまたは針金を結び、図１のようにばね２をつけて引き金１を引かない状態でのパイプの位置を保てるようにしておく。６に結ばれたワイヤまたは針金は引き金１に結ばれており、１を引くことによってパイプが回転する。ここではパイプを回転させるためにワイヤまたは針金で引く形をとっているが、小型のギヤによって回転力を伝える方法をとることもできる。
【０００７】糸入れ用隙間９からハリスの糸を通し、針の湾曲部でパイプがつかえるまで糸に沿って押し込んでから、引き金１を引いてパイプを回転させると針先は魚の咽の奥を向く。この状態のまま全体を引き抜くと針が他の部分に刺さることなく抜ける。もしパイプの回転する向きが針先と同じ向きになって回らないときは９０度程度、魚を背骨を中心軸にして回転させると回るようになる。
【０００８】
【発明の効果】
針が見えない状態でも確実に針を捉えることができ、短時間の１、２回の試技で針を抜くことができるので人間の労力を減らし、魚に与えるダメージを軽減することができる。
【図面の簡単な説明】
【図１】本発明の正面から見た平面図である。
【図２】先端金具を正面から見た拡大平面図である。
【図３】先端金具を横から見た拡大断面図である。
【図４】本発明の使用図である。
【符号の説明】
１引き金
２ばね
３回転軸
４ワイヤ
５切り欠き
６ワイヤをかける穴
７回転軸用穴
８ワイヤをかける穴
９糸入れ用の隙間
１０魚の咽の内壁
【図１】
2004248647.tif 000003
【図２】
2004248647.tif 000004
【図３】
2004248647.tif 000005
【図４】
2004248647.tif 000006
(57)【要約】【課題】殺虫剤では制限があり、かかった場合でも逃げ回られたり、高い所にいたりするゴキブリを捕まえる事が難しく、この捕獲機を使えば手も汚れず簡単に始末することが出来る。【解決手段】ゴキブリを発見したら捕獲機を押し当て、粘着面をゴキブリに密着させて潰さずに捕獲する。高い所は捕獲機の棒を伸ばして捕獲し手を汚さないで処理出来る用にした。【選択図】    図５
2004248646.tif 000002
【特許請求の範囲】
【請求項１】
伸縮押し当て棒にスポンジを取り付け底面の回りを１センチ残し、内側を５ミリ削り取り凸凹を付けた、ゴキブリ捕獲機。
【請求項２】
ビニール袋の底面に粘着を付け、袋の長さを縁から約１／３外側に丸めた、ゴキブリ粘着装置。
【発明の詳細な説明】
【０００１】
【発明に属する技術分野】
本発明は、押し当て棒にスポンジを取り付けることで、ゴキブリを捕獲した時の衝撃を和らげ、ビニールの底に付けた粘着でつぶさずに捕獲する事が出来る物である。
【０００２】
【従来の技術】
従来では、ゴキブリが台所や人が寝ている所に出た場合、殺虫剤の使用が出来ず又、使用出来る場合でも殺虫後に薬剤がかかった所のふき取り掃除や、ゴキブリの死骸の始末が大変であり、かかった場合でも逃げられてしまうことがある。
【０００３】
【発明の実施の形態】
本発明は、捕獲機に粘着ビニール袋を補充を含め１〜４枚装着し、ゴキブリを見つけたら粘着に着いている剥離紙を剥がし、約２０〜１５センチ位までゆっくりと近づけ一気に押し当てる。その後押し当て棒をゆっくり抜いて袋の中に手を入れ壁や床になどに着いた粘着をゆっくり剥がしながら、粘着どうしを着けてゴキブリを包み込み袋を引っ繰り返して縛る。又、捕獲出来なかった時は壁や床などから粘着ビニールを剥がして、再度剥離紙を着けて捕獲機に装着し３〜４回再利用が出来る。
【０００４】
【発明の効果】
このようにすれば、ゴキブリや害虫が出た場合でも押し当てた時の衝撃をスポンジで吸収し、ビニール袋に取り付けた粘着でゴキブリや害虫を捕獲することで殺虫剤を使用する事なく、手も汚れず簡単に始末することが出来る。
【図面の簡単な説明】
【図１】捕獲機正面である。
【図２】捕獲機側面である。
【図３】捕獲機底面である。
【図４】ビニール袋に粘着を付け、縁を丸めたものである。
【図５】捕獲機と粘着ビニール袋を装着したものである。
【符号の説明】
１  アルミ棒
２  プラスチック
３  スポンジ
４  粘着面
５  縁を丸めたビニール袋
【図１】
2004248646.tif 000003
【図２】
2004248646.tif 000004
【図３】
2004248646.tif 000005
【図４】
2004248646.tif 000006
【図５】
2004248646.tif 000007
(57)【要約】【課題】もち米は古くから日本の食文化の中で親しまれてきたが、栄養面での偏りや、見た目の華やかさに乏しいという欠点があった。天然素材を原料となる蒸したもち米に混ぜ込み搗きあげることによって、栄養面での偏りを改善し、さらに、視覚的な華やかさを得ることを目的としている。【解決手段】原料となる蒸したもち米にヤーコン、ビーツ、ウコン、紫芋、セロリ、小松菜、大根葉、モロヘイヤのいずれか１つの天然素材を乾燥しパウダー状にしたもの、あるいはビール酵母を混ぜ込み搗くことで、天然素材に含まれるビタミン、ミネラル、カルシウム、カロチン、食物繊維等を摂取することができる。また、天然素材入り有色薬膳餅は鮮やかな色彩を呈するので、見た目も華やかで、食欲をそそるものである。【選択図】    なし【特許請求の範囲】
【請求項１】
清洗後、一晩水に浸した後、蒸したもち米に、ヤーコン、ビーツ、ウコン、紫芋、セロリ、小松菜、大根葉、モロヘイヤのいずれか１つの天然素材を乾燥し、パウダー状にしたものを混ぜ込み搗きあげることを特徴とする有色薬膳餅。
【請求項２】
清洗後、一晩水に浸した後、蒸したもち米に、ヤーコン、ビーツ、ウコン、紫芋、セロリ、小松菜、大根葉、モロヘイヤのいずれか１つの天然素材を乾燥し、パウダー状にしたものを混ぜ込み搗きあげることを特徴とする有色薬膳餅の製造方法。
【請求項３】
清洗後、一晩水に浸した後、蒸したもち米にビール酵母を混ぜ込み搗きあげることを特徴とする薬膳餅。
【請求項４】
清洗後、一晩水に浸した後、蒸したもち米にビール酵母を混ぜ込み搗きあげることを特徴とする薬膳餅の製造方法。
【発明の詳細な説明】
【０００１】
【発明の属する技術分野】
本発明は、もち米を用いた有色薬膳餅とその製造方法に関する。
【０００２】
【従来の技術】
従来もち米を用いた有色餅は、着色料を用いて色付けするものが多かった。
【０００３】
【発明が解決しようとする課題】
もち米を用いた餅は、古くから日本の食文化で親しまれてきたが、栄養摂取面での偏りや、見た目の華やかさに乏しいという問題点があった。本発明で解決しようとする課題は、蒸したもち米に、ヤーコン、ビーツ、ウコン、紫芋、セロリ、小松菜、大根葉、モロヘイヤのいずれか１つの天然素材を乾燥し、パウダー状にしたものを混ぜ込みその効能や効果に着目し搗いた餅がない点である。
【０００４】
【課題を解決するための手段】
本発明はヤーコン、ビーツ、ウコン、紫芋、セロリ、小松菜、大根葉、モロヘイヤのいずれか１つの天然素材を乾燥し、パウダー状にしたものを原料となる蒸した餅に混ぜ込み搗くということで栄養面での偏りを減らし、天然素材の持つ活性酸素除去作用のほか、強肝作用、抗菌作用、抗血栓作用、美肌作用等多くの効果が解明されている。さらに視覚的な華やかさを得ることを目的としている。
【０００５】
本発明は外観的な華やかさを得ると共に、栄養摂取面でも優れた有色薬膳餅を提供する。本発明によれば、ヤーコン、ビーツ、ウコン、紫芋、セロリ、小松菜、大根葉、モロヘイヤのいずれか１つの天然素材を乾燥し、パウダー状にしたものを混ぜ込み搗くことでできる有色薬膳餅と、ビール酵母を原料となる蒸したもち米に混ぜ込み搗いた餅が提供される。この餅によれば、原料もち米に混ぜ込んだパウダー状天然素材により、栄養摂取面でも、従来の餅では不足がちだったビタミン、ミネラル、カロチン、カルシウム、食物繊維等も摂取できることを特徴とする。
【０００６】
【発明の実施の形態】
本発明によれば原料となる蒸したもち米にヤーコン、ビーツ、ウコン、紫芋、セロリ、小松菜、大根葉、モロヘイヤのいずれか１つの天然素材を乾燥し、パウダー状にしたものを混ぜ込み搗きあげることを特徴としている。
【０００７】
ビール酵母を原料となる蒸したもち米に混ぜ込み搗きあげることを特徴としている。
【０００８】
以下、原料となる蒸したもち米に混ぜ込む天然素材の配合状態・好ましい配合率及び特徴を表Ｉに示す。
【０００９】
【表Ｉ】
2004248641.tif 000002
【００１０】
本発明は蒸したもち米にヤーコン、ビーツ、ウコン、紫芋、セロリ、小松菜、大根葉、モロヘイヤのいずれか１つの天然素材を乾燥しパウダー状にしたものを混ぜ込み搗きあげる有色薬膳餅であり、ビール酵母を蒸したもち米に混ぜ込み搗きあげる薬膳餅であるので下記の効果が期待できる。
【００１１】
【発明の効果】
本発明により得た有色薬膳餅は、蒸したもち米に天然素材特有の色彩を呈し、視覚面からも華やかさを得られ、食欲をそそるものである。
【００１２】
天然素材に含まれるビタミン、ミネラル、カルシウム、カロチン、食物繊維の効果で、原料となるもち米からだけでは不足しがちな栄養分を補うことができる。
【００１３】
本発明により得た有色薬膳餅は、混ぜ込んだ天然素材が違和感なく原料となる蒸した餅と混ざるため、これまでの餅の味を損なうこともなく、食感の良い餅として提供できるものである。